(57)【特許請求の範囲】
【請求項１】
ワイヤロープを外周面に巻き掛けて保持するために回転駆動されるドラムと、
前記ワイヤロープを前記ドラムの外周面に対して押圧する第１姿勢と前記ワイヤロープを押圧せず前記ドラムの外周面から前記ワイヤロープを出し入れできる程度に離隔する第２姿勢との間で相互に切り替えることができる押さえローラ部と、
前記ドラムを収容するハウジングとを備え、
前記ハウジングは、前記押さえローラ部が前記第２姿勢にある状態において、外部から持ち込まれる前記ワイヤロープの途中部分を前記ドラムの外周面に掛ける作業、および、前記ドラムの外周面に巻き掛けられている状態の前記ワイヤロープを前記ドラムから取り外して持ち出す作業を行なえる程度に、前記ドラムの外周面の少なくとも一部を露出させる作業開口部を有する、エレベータ用ワイヤロープ交換機。
【請求項２】
前記作業開口部を覆う開閉自在な蓋を有する、請求項１に記載のエレベータ用ワイヤロープ交換機。
【請求項３】
前記押さえローラ部がボギー構造を含む、請求項１または２に記載のエレベータ用ワイヤロープ交換機。
【請求項４】
前記押さえローラ部が前記ドラムの外周に沿って並ぶように配置された複数のボギー構造を含む、請求項１または２に記載のエレベータ用ワイヤロープ交換機。
【請求項５】
前記押さえローラ部が交換可能であり、前記押さえローラ部を交換することによって異なる径のワイヤロープに対応することができる、請求項１から４のいずれかに記載のエレベータ用ワイヤロープ交換機。
【請求項６】
前記押さえローラ部は、前記ドラムを挟んで互いに対向する第１の側方および第２の側方から、前記ドラムを、前記ドラムの中心に向かって同時にそれぞれ押圧する第１押さえローラ部および第２押さえローラ部を含む、請求項１から５のいずれかに記載のエレベータ用ワイヤロープ交換機。
【請求項７】
前記ドラムの外周面に巻き掛けられている状態の前記ワイヤロープの引き出された部分のうち１本を、前記ドラムの中心点を通って延在する直線上に位置するように導く、ガイドシーブを備える、請求項１から６のいずれかに記載のエレベータ用ワイヤロープ交換機。
【発明の詳細な説明】
【技術分野】
【０００１】
本発明は、エレベータ用ワイヤロープ交換機に関するものである。
【背景技術】
【０００２】
従来、ロープ式のエレベータにおいてワイヤロープを交換する際には、エレベータのかごを最上階などに固定し、人力のみで、または、ウインチを使って、ワイヤロープを人手で交換していた。
【０００３】
エレベータのワイヤロープを交換する装置の一例は、特開２００５−１３８９１７号公報（特許文献１）に記載されている。
【先行技術文献】
【特許文献】
【０００４】
【特許文献１】特開２００５−１３８９１７号公報
【発明の概要】
【発明が解決しようとする課題】
【０００５】
人力のみで行なわれていたエレベータのワイヤロープ交換は、時間と労力を要する。また、エレベータのワイヤロープの交換に用いられる従来の一般的なウインチでは、ドラムの外周にワイヤロープを掛けるには、ワイヤロープの一方の端を持ってきてウインチに挿入する必要がある。しかし、エレベータ用のワイヤロープの端は、かごや釣合おもりに結合されるために変形させられていたり専用金具が既に付けられていたりして、そのままではウインチに挿入できるような状態ではないことが多い。
【０００６】
また、たとえば現場でどの程度の長さのワイヤロープが必要であるかが事前に詳細にわからない場合には、余裕をもって実際に必要な長さよりもはるかに長いワイヤロープを現場に持参して作業を開始することとなるが、その場合、ウインチによる巻き取り作業をするためにいちいちワイヤロープの端から順に通していかなければならないとすると作業効率が著しく悪くなる。
【０００７】
ワイヤロープの端がどのような形状になっていようと影響を受けることなくワイヤロープに対する牽引作業が行なえることが好ましい。また、実際に必要な長さよりはるかに長いワイヤロープが用意されている場合であっても途中の必要な箇所から作業を開始できることが好ましい。
【０００８】
また、人力に頼らない形で作業ができることが好ましい。作業時間の短縮および安全作業のより安定した確立を図ることも望まれる。
【０００９】
そこで、本発明は、エレベータのワイヤロープの交換作業の現場において、ワイヤロープ端が変形させられている、もしくは、専用金具などが既に取り付けられているワイヤロープにおいても、または、長いワイヤロープの切れ目のない途中部分においても、ワイヤロープを切ることなくドラムの外周に掛ける作業を容易に行なえるエレベータ用ワイヤロープ交換機を提供することを目的とする。
【課題を解決するための手段】
【００１０】
上記目的を達成するため、本発明に基づくエレベータ用ワイヤロープ交換機は、ワイヤロープを外周面に巻き掛けて保持するために回転駆動されるドラムと、上記ワイヤロープを上記ドラムの外周面に対して押圧する第１姿勢と上記ワイヤロープを押圧せず上記ドラムの外周面から上記ワイヤロープを出し入れできる程度に離隔する第２姿勢との間で相互に切り替えることができる押さえローラ部と、上記ドラムを収容するハウジングとを備え、上記ハウジングは、上記押さえローラ部が上記第２姿勢にある状態において、外部から持ち込まれる上記ワイヤロープの途中部分を上記ドラムの外周面に掛ける作業、および、上記ドラムの外周面に巻き掛けられている状態の上記ワイヤロープを上記ドラムから取り外して持ち出す作業を行なえる程度に、上記ドラムの外周面の少なくとも一部を露出させる作業開口部を有する。
【発明の効果】
【００１１】
本発明によれば、エレベータ用ワイヤロープ交換機は、第１姿勢と第２姿勢との間で相互に切り替えることができる押さえローラ部を備えており、なおかつ、作業開口部を有するので、エレベータのワイヤロープの交換作業の現場において、ワイヤロープ端が変形させられている、もしくは、専用金具などが既に取り付けられているワイヤロープにおいても、または、長いワイヤロープの切れ目のない途中部分においても、ワイヤロープを切ることなくドラムの外周に掛ける作業を容易に行なうことができる。
【図面の簡単な説明】
【００１２】
【図１】本発明に基づく実施の形態１におけるエレベータ用ワイヤロープ交換機にワイヤロープを掛け、蓋を開けた状態の正面図である。
【図２】本発明に基づく実施の形態１におけるエレベータ用ワイヤロープ交換機の蓋を閉めた状態の正面図である。
【図３】本発明に基づく実施の形態１におけるエレベータ用ワイヤロープ交換機の側面図である。
【図４】本発明に基づく実施の形態１におけるエレベータ用ワイヤロープ交換機の蓋を開けた状態の正面図である。
【図５】本発明に基づく実施の形態１におけるエレベータ用ワイヤロープ交換機の押さえローラ部を回動させることによって押さえローラをドラムから離隔させた状態の正面図である。
【図６】本発明に基づく実施の形態１におけるエレベータ用ワイヤロープ交換機にワイヤロープを掛ける作業時の状態の正面図である。
【図７】本発明に基づく実施の形態１におけるエレベータ用ワイヤロープ交換機において押さえローラ部を元の位置に戻す作業の説明図である。
【図８】本発明に基づく実施の形態１におけるエレベータ用ワイヤロープ交換機において下側固定ピンを挿入した状態の正面図である。
【図９】本発明に基づく実施の形態１におけるエレベータ用ワイヤロープ交換機においてワイヤロープを掛け終わり、蓋を閉じた状態の正面図である。
【図１０】本発明に基づく実施の形態１におけるエレベータ用ワイヤロープ交換機において押さえローラ部を外した状態の説明図である。
【図１１】本発明に基づく実施の形態１におけるエレベータ用ワイヤロープ交換機に備わる押さえローラ部の正面図である。
【図１２】本発明に基づく実施の形態１におけるエレベータ用ワイヤロープ交換機に備わる押さえローラ部の側面図である。
【図１３】本発明に基づく実施の形態１におけるエレベータ用ワイヤロープ交換機に備わる押さえローラ部のボギー構造近傍の第１の説明図である。
【図１４】本発明に基づく実施の形態１におけるエレベータ用ワイヤロープ交換機に備わる押さえローラ部のボギー構造近傍の第２の説明図である。
【図１５】本発明に基づく実施の形態１におけるエレベータ用ワイヤロープ交換機に備わる押さえローラ部のボギー構造近傍の第３の説明図である。
【図１６】本発明に基づく実施の形態１において、異なる径のワイヤロープに対応するための構成の第１の例のうち、直径１２ｍｍのワイヤロープを扱うために用意された押さえローラ部の正面透視図である。
【図１７】本発明に基づく実施の形態１において、異なる径のワイヤロープに対応するための構成の第１の例のうち、直径１４ｍｍのワイヤロープを扱うために用意された押さえローラ部の正面透視図である。
【図１８】本発明に基づく実施の形態１において、異なる径のワイヤロープに対応するための構成の第１の例のうち、直径１６ｍｍのワイヤロープを扱うために用意された押さえローラ部の正面透視図である。
【図１９】直径１２ｍｍのワイヤロープのための押さえローラに関連して、（ａ）は押さえローラ近傍の側面図であり、（ｂ）はワイヤロープをドラムに押さえ付けた様子の断面図である。
【図２０】直径１４ｍｍのワイヤロープのための押さえローラに関連して、（ａ）は押さえローラ近傍の側面図であり、（ｂ）はワイヤロープをドラムに押さえ付けた様子の断面図である。
【図２１】直径１６ｍｍのワイヤロープのための押さえローラに関連して、（ａ）は押さえローラ近傍の側面図であり、（ｂ）はワイヤロープをドラムに押さえ付けた様子の断面図である。
【図２２】本発明に基づく実施の形態１において、異なる径のワイヤロープに対応するための構成の第２の例の第１の説明図である。
【図２３】本発明に基づく実施の形態１において、異なる径のワイヤロープに対応するための構成の第２の例の第２の説明図である。
【図２４】本発明に基づく実施の形態１において、異なる径のワイヤロープに対応するための構成の第２の例のうち、直径１２ｍｍのワイヤロープに対応するための取付位置とした押さえローラ部近傍の正面透視図である。
【図２５】本発明に基づく実施の形態１において、異なる径のワイヤロープに対応するための構成の第２の例のうち、直径１４ｍｍのワイヤロープに対応するための取付位置とした押さえローラ部近傍の正面透視図である。
【図２６】本発明に基づく実施の形態１において、異なる径のワイヤロープに対応するための構成の第２の例のうち、直径１６ｍｍのワイヤロープに対応するための取付位置とした押さえローラ部近傍の正面透視図である。
【図２７】本発明に基づく実施の形態１において、異なる径のワイヤロープに対応するための構成の第３の例の第１の説明図である。
【図２８】本発明に基づく実施の形態１において、異なる径のワイヤロープに対応するための構成の第３の例の第２の説明図である。
【図２９】本発明に基づく実施の形態１において、異なる径のワイヤロープに対応するための構成の第３の例のうち、直径１２ｍｍのワイヤロープに対応するための取付位置とした押さえローラ部近傍の正面透視図である。
【図３０】本発明に基づく実施の形態１において、異なる径のワイヤロープに対応するための構成の第３の例のうち、直径１４ｍｍのワイヤロープに対応するための取付位置とした押さえローラ部近傍の正面透視図である。
【図３１】本発明に基づく実施の形態１において、異なる径のワイヤロープに対応するための構成の第３の例のうち、直径１６ｍｍのワイヤロープに対応するための取付位置とした押さえローラ部近傍の正面透視図である。
【図３２】本発明に基づく実施の形態２におけるエレベータ用ワイヤロープ交換機の蓋を開けた状態の正面透視図である。
【図３３】本発明に基づく実施の形態２におけるエレベータ用ワイヤロープ交換機の押さえローラ部を回動させることによって押さえローラをドラムから離隔させた状態の正面透視図である。
【図３４】本発明に基づく実施の形態２におけるエレベータ用ワイヤロープ交換機の押さえローラ部の正面透視図である。
【図３５】本発明に基づく実施の形態３におけるエレベータ用ワイヤロープ交換機の正面透視図である。
【図３６】本発明に基づく実施の形態４におけるエレベータ用ワイヤロープ交換機の正面透視図である。
【発明を実施するための形態】
【００１３】
（実施の形態１）
（構成）
図１〜図９を参照して、本発明に基づく実施の形態１におけるエレベータ用ワイヤロープ交換機について説明する。図１では、本実施の形態におけるエレベータ用ワイヤロープ交換機１０１にワイヤロープ１を掛けた状態を示している。図１では、エレベータ用ワイヤロープ交換機１０１の内部の様子がわかるように蓋５を開けた状態で表示している。
【００１４】
本実施の形態におけるエレベータ用ワイヤロープ交換機１０１は、ワイヤロープ１を外周面に巻き掛けて保持するために回転駆動されるドラム２と、ワイヤロープ１を前記ドラムの外周面に対して押圧する第１姿勢とワイヤロープ１を押圧せずドラム２の外周面から、ワイヤロープ１を出し入れできる程度に、離隔する第２姿勢との間で相互に切り替えることができる押さえローラ部３と、ドラム２を収容するハウジング４とを備える。ハウジング４は、押さえローラ部３が第２姿勢にある状態において、外部から持ち込まれるワイヤロープ１の途中部分をドラム２の外周面に掛ける作業、および、ドラム２の外周面に巻き掛けられている状態のワイヤロープ１をドラム２から取り外して持ち出す作業を行なえる程度に、ドラム２の外周面の少なくとも一部を露出させる作業開口部１０を有する。
【００１５】
ここで押さえローラ部３のとりうる２通りの姿勢として、「第１姿勢」と「第２姿勢」とに言及したが、図１に示したのは押さえローラ部３が第１姿勢にある状態である。押さえローラ部３は、下側固定ピン１２、上側固定ピン１３、ロックボルト１４およびロックナット１５によってハウジング４に対して取り付けられている。下側固定ピン１２および上側固定ピン１３は、押さえローラ部３とハウジング４とを重ねて貫通するように挿入されたピンであり、作業者が抜き差しすることができる。ロックボルト１４およびロックナット１５は、上側固定ピン１３を支点（回転中心）として押さえローラ部３をドラム２に近接させ、下側固定ピン１２を容易に抜き差しさせるとともに離れないように固定するものである。ロックボルト１４およびロックナット１５の操作については、後に詳しく述べる。
【００１６】
エレベータ用ワイヤロープ交換機１０１は、上端に取付金具７を備える。取付金具７はたとえば環状の部分を有する。取付金具７は、作業現場に予め用意されたフックなどにエレベータ用ワイヤロープ交換機１０１全体を掛けるためのものである。
【００１７】
エレベータ用ワイヤロープ交換機１０１は、下部の内部にモータ８を備える。モータ８は、ドラム２を回転させるためのものである。
【００１８】
エレベータ用ワイヤロープ交換機１０１は、下部の側方に制御箱９を備える。制御箱９はモータ８を制御するためのものである。
【００１９】
（ワイヤロープをセットする作業）
引続き、エレベータ用ワイヤロープ交換機１０１にワイヤロープ１が掛かっていない状態からワイヤロープ１をセットし終えるまでの作業手順について説明する。
【００２０】
初期状態のエレベータ用ワイヤロープ交換機１０１を図２に示す。エレベータ用ワイヤロープ交換機１０１にはワイヤロープ１はセットされておらず、手前の蓋５が閉まっている。蓋５は、ハウジング４の一方の端に設けられた蝶番５ａによって回動可能となっている。蓋５は、中間に蝶番５ｂを備えているので、２つに折ることもできる。ただし、図２に示した状態では、蓋５は不用意に開かないようにキャッチクリップ１１ａ，１１ｂによって固定されている。
【００２１】
この状態のエレベータ用ワイヤロープ交換機１０１を側方から見たところを図３に示す。ハウジング４の裏側には減速機１７が配置されている。
【００２２】
まず、作業者は手作業でキャッチクリップ１１ａ，１１ｂを外し、蓋５を手前に引くことによって開ける。これにより、図４に示す状態になる。この状態では作業開口部１０が露出している。
【００２３】
作業者は手作業で下側固定ピン１２を抜き取る。さらに、作業者は手作業でロックナット１５を緩め、ロックボルト１４を押さえローラ部アーム３３から取り外して傾ける。図５において矢印９１に示すように、上側固定ピン１３を中心として押さえローラ部３を回動させる。こうすることによって、押さえローラ部３に設けられた複数個の押さえローラ１６はドラム２から離隔する。この状態が押さえローラ部３の第２姿勢に相当する。
【００２４】
図６に示すように、ロックボルト１４によって押さえローラ部３を支える。この状態で、交換用のワイヤロープ１の中間部分をエレベータ用ワイヤロープ交換機１０１内へ持ち込む。ワイヤロープ１の中間部分を作業開口部１０から挿入し、ドラム２の外周に掛ける。ワイヤロープ１は矢印９５で示す向きに荷重が作用することが予定されているものである。たとえばワイヤロープ１に１６０ｋｇの荷重が下向きに作用する状態で矢印９５の向きにゆっくり巻き下げていく作業が想定される。あるいは、この代わりに、ワイヤロープ１を矢印９５とは逆の向きにゆっくり巻き上げていく作業を想定してもよい。
【００２５】
図７に示すように、ロックボルト１４をずらし、矢印９２に示すように押さえローラ部３を回動させ、再び押さえローラ部３の押さえローラ１６がドラム２に巻き掛けられたワイヤロープ１に当接する状態に戻す。すなわち、押さえローラ部３を第１姿勢に戻す。押さえローラ部３がドラム２から離れないように、矢印９３に示すようにロックボルト１４を引っ掛け、押さえローラ部３の下側穴１８ｃの位置がハウジング４の下側穴１８と重なって下側固定ピン１２を挿入できるようになるまで、ロックナット１５を締め付ける。
【００２６】
図８に示すように、押さえローラ部３およびハウジング４に連通するように下側固定ピン１２を挿入し、公知技術による抜け止めの措置を行なう。このようにすることで、第１姿勢にある押さえローラ部３は第１姿勢のまま安定的に保持される。
【００２７】
図９に示すように、蓋５を閉じてキャッチクリップ１１ａ，１１ｂを掛ける。こうして、ワイヤロープ１をセットする作業が完了する。
【００２８】
既にドラム２に掛けてあるワイヤロープ１を外す際には、ここで説明したのと逆の順序で各作業を行なえばよい。
【００２９】
（作用・効果）
本実施の形態におけるエレベータ用ワイヤロープ交換機１０１では、第１姿勢と第２姿勢との間で相互に切り替えることができる押さえローラ部３を備えており、なおかつ、作業開口部１０を有するので、エレベータのワイヤロープの交換作業の現場において、ワイヤロープの端が変形させられている、または、専用金具などが既に取り付けられているワイヤロープにおいても、あるいは、長いワイヤロープの切れ目のない途中部分においても、ワイヤロープを切ることなくドラムの外周に掛ける作業を容易に行なうことができる。
【００３０】
（蓋の構造）
なお、本実施の形態では既に蓋５の存在も示しているが、エレベータ用ワイヤロープ交換機１０１は、作業開口部１０を覆う開閉自在な蓋５を有することが好ましい。蓋５は本発明にとって必須のものではないが、備わっていることが好ましい。
【００３１】
さらに、本実施の形態で示したように、蓋５が中間部に蝶番５ｂを有するものであれば、蓋５は根元の蝶番５ａによって開閉するだけでなく、蝶番５ｂによって折り畳むこともできるので、コンパクトに収めることができ、狭い作業スペースで作業する際に好都合である。蓋５の途中の蝶番によって折り曲げられる箇所は図２では１ヶ所としていたが、１ヶ所だけでなく複数箇所設けてもよい。
【００３２】
蓋５は透明な部材で形成してもよい。蓋５を透明な部材で形成すれば、蓋５を閉めた後でもハウジング４内部の様子が視認できるので好ましい。
【００３３】
（押さえローラ部の構造）
押さえローラ部３は交換することができる。図５〜図７では、上側固定ピン１３が残ったままとなっており、押さえローラ部３は上側固定ピン１３を中心に回動することとなっていたが、上側固定ピン１３も抜き取れば、図１０に示すように、押さえローラ部３を完全に取り外すことができる。図１０では、押さえローラ部３を外した後のハウジング４に下側穴１８および上側穴１９があるのが見えている。一方、取り外された押さえローラ部３には下側穴１８ｃおよび上側穴１９ｃが設けられている。
【００３４】
押さえローラ部３を単独で拡大したところを図１１に示す。押さえローラ部３を図１１における右側から見たところを図１２に示す。図１１に示すように、押さえローラ部３は、２個の押さえローラ１６を備える。ここでは一例として押さえローラ１６の個数を２個としているが他の個数であってもよい。２個の押さえローラ１６は、リンク部材３１によって回動自在に保持されている。リンク部材３１は軸３５によって押さえローラ部アーム３３に回動自在かつスライド自在に取り付けられている。軸３５がスライドできる方向は、ドラム２の半径方向のみである。押さえローラ部アーム３３はドラム２の接線方向に延在する部材である。押さえローラ部アーム３３には案内金具３６が設けられており、案内金具３６を取り囲むようにばね３４が配置されている。ばね３４の働きにより押さえローラ１６はドラム２に向かって押さえ付けられる。
【００３５】
２個の押さえローラ１６は、リンク部材３１によって保持され、なおかつ、軸３５を中心にリンク部材３１ごと姿勢を変えることができるので、押さえローラ部３はボギー構造を含んでいるといえる。ボギー構造によって押さえローラ１６の姿勢が変わる様子を図１３、図１４および図１５に示す。
【００３６】
エレベータ用ワイヤロープ交換機１０１においては、押さえローラ部３がこのようにボギー構造を含むことが好ましい。ボギー構造となっていれば、ドラム２の外周に対して傾きの誤差を吸収して確実に押し当たることができるからである。
【００３７】
（異なる径のワイヤロープに対応する構成の第１例）
異なる径のワイヤロープに対応するための構成の第１の例について説明する。本実施の形態では、押さえローラ部３を交換することによって、異なる径のワイヤロープに対応することができる。ここでは、ワイヤロープの径のバリエーションとして、直径１２ｍｍ、直径１４ｍｍ、直径１６ｍｍの３通りが存在するものとして説明する。
【００３８】
図１６、図１７、図１８に、順に、直径１２ｍｍ、直径１４ｍｍ、直径１６ｍｍの各ワイヤロープ用の押さえローラ部３ｉ，３ｊ，３ｋを示す。押さえローラ部３ｉ，３ｊ，３ｋは、押さえローラの直径が異なる。
【００３９】
直径１２ｍｍのワイヤロープのために用意された押さえローラ部３ｉは、直径４５ｍｍの押さえローラ１６ｉを備える。
【００４０】
直径１４ｍｍのワイヤロープのために用意された押さえローラ部３ｊは、直径３７ｍｍの押さえローラ１６ｊを備える。
【００４１】
直径１６ｍｍのワイヤロープのために用意された押さえローラ部３ｋは、直径３５ｍｍの押さえローラ１６ｋを備える。
【００４２】
押さえローラの直径がそれぞれ異なることによりリンク部材３１の形状も少しずつ異なる。
【００４３】
図１９（ａ）、図２０（ａ）、図２１（ａ）に、順に、直径１２ｍｍ、直径１４ｍｍ、直径１６ｍｍの各ワイヤロープに対応するための押さえローラの近傍の様子を示す。
【００４４】
図１９（ｂ）、図２０（ｂ）、図２１（ｂ）に、順に、直径１２ｍｍ、直径１４ｍｍ、直径１６ｍｍの各ワイヤロープ１ｉ，１ｊ，１ｋを押さえローラ部３ｉ，３ｊ，３ｋでそれぞれドラム２に押さえ付けた様子の断面図を示す。ドラム２の外径はいずれも共通して３５８ｍｍである。
【００４５】
ドラム２は外周にワイヤロープ１を受け入れるための溝（以下「外周溝」という。）を有する。直径が異なるワイヤロープに対しても、この溝がワイヤロープを受け入れて安定し、この安定した状態のワイヤロープを押さえローラが押さえ付けることが必要である。ドラム２の外周溝は断面がテーパ状となっており、底に近づくほど幅が狭くなっている。ワイヤロープの径が異なると、溝の中でワイヤロープが安定して保持される位置の深さが異なる。太いワイヤロープを用いる場合、外周溝の浅い位置でワイヤロープが引っ掛かって支持されるが、細いワイヤロープを用いる場合、ドラム２の外周溝の奥までワイヤロープ１が入り込む。各径のワイヤロープに対応する押さえローラの径はそれぞれワイヤロープの引っ掛かる位置に対応するように設定されている。
【００４６】
図１９（ａ），（ｂ）に示すように直径１２ｍｍのワイヤロープ１ｉの場合、軸３５の中心から４９．７４ｍｍの位置でワイヤロープ１ｉを押さえることができるように押さえローラ１６ｉが備わっている。
【００４７】
図２０（ａ），（ｂ）に示すように直径１４ｍｍのワイヤロープ１ｊの場合、軸３５の中心から４４．１２ｍｍの位置でワイヤロープ１ｊを押さえることができるように押さえローラ１６ｊが備わっている。
【００４８】
図２１（ａ），（ｂ）に示すように直径１６ｍｍのワイヤロープ１ｋの場合、軸３５の中心から３８．５ｍｍの位置でワイヤロープ１ｋを押さえることができるように押さえローラ１６ｋが備わっている。
【００４９】
このように、ワイヤロープの径に応じて押さえローラの径が異なる複数の押さえローラ部を用意しておき、押さえローラ部を必要に応じて交換することとすれば、本実施の形態におけるエレベータ用ワイヤロープ交換機１０１は、異なる径のワイヤロープにも対応することができる。したがって、本実施の形態においては、押さえローラ部が交換可能であり、前記押さえローラ部を交換することによって異なる径のワイヤロープに対応することができるものであることが好ましい。
【００５０】
（異なる径のワイヤロープに対応する構成の第２例）
異なる径のワイヤロープに対応するための構成の第２の例について説明する。この例においては、押さえローラ部を交換しなくても、異なる径のワイヤロープに対応することが可能である。なぜなら、押さえローラの径が共通であっても、押さえローラを支持する位置を少しずつ変えることによって異なる径のワイヤロープに対応することができるからである。押さえローラを支持する位置を変えるためには、たとえば図２２に示す構成を採用すればよい。このエレベータ用ワイヤロープ交換機１０２は、押さえローラ部３ｗを備える。押さえローラ部３ｗは、複数の位置固定穴２１を有する。ハウジング４は、図２２におけるドラム２の縦の中心線８１からの距離がそれぞれ異なる複数の下側穴に相当する位置調整穴２０を有する。位置調整穴２０は一直線上に並んでいてもよいが、図２２に示すように一直線上ではない配列であってもよい。図２２に示した例では、位置調整穴２０として３つの穴が三角形をなす位置関係で配置されている。押さえローラ部３ｗは、上側固定ピン１３を中心として回動させることによって、押さえローラ１６のドラム２に対する相対位置を決定する。決定した位置において、対応する位置調整穴２０のいずれかと位置固定穴２１のいずれかとを一括して貫通するように下側固定ピン１２が挿入される。図２２に示した例では、３個ある位置調整穴２０の上側穴１９からの図中上下方向の距離が２通りに分かれているので、位置固定穴２１は、１個では足りず２個設けられている。上側固定ピン１３を抜けば、図２３に示すように、押さえローラ部３ｗはハウジング４から取り外すことができる。図２４〜図２６では、複数ある穴のうち固定ピンが挿入されているものを黒丸で表示する。
【００５１】
押さえローラ部３ｗを、直径１２ｍｍのワイヤロープに対応するための取付位置とした状態を、図２４に示す。
【００５２】
押さえローラ部３ｗを、直径１４ｍｍのワイヤロープに対応するための取付位置とした状態を、図２５に示す。
【００５３】
押さえローラ部３ｗを、直径１６ｍｍのワイヤロープに対応するための取付位置とした状態を、図２６に示す。
【００５４】
ここで示した位置調整穴２０の数および位置固定穴２１の数は、あくまで一例であって、このとおりでなければならないわけではない。このように、ワイヤロープの径に応じて押さえローラの位置が異なるように複数の位置調整穴を設けておき、押さえローラ部の固定位置を必要に応じて選択することとすれば、エレベータ用ワイヤロープ交換機１０２は、異なる径のワイヤロープにも対応することができる。
【００５５】
ここでは、上側固定ピン１３を押さえローラ部３ｗの回転中心として、調整後の位置を下側固定ピンによって決定する構成を示したが、上側固定ピンと下側固定ピンとで役割を逆にしてもよい。
【００５６】
（異なる径のワイヤロープに対応する構成の第３例）
異なる径のワイヤロープに対応するための構成の第３の例について説明する。図２７に、上側の固定ピンを１本だけ挿入してこの上側固定ピン１３を中心に回動させる途中の状態を示す。図２８に示すように、エレベータ用ワイヤロープ交換機１０３では、下側固定ピン１２（図２９〜図３１参照）が通るための下側穴１８，１８ｃが複数設けられているだけでなく上側固定ピン１３が通るための上側穴１９，１９ｃも複数設けられている。エレベータ用ワイヤロープ交換機１０３は、ハウジング４に設けられた穴と、押さえローラ部３ｙに設けられた穴とを利用して上下ともそれぞれ固定位置を調整することができる。
【００５７】
押さえローラ部３ｙを、直径１２ｍｍのワイヤロープに対応するための取付位置とした状態を、図２９に示す。
【００５８】
押さえローラ部３ｙを、直径１４ｍｍのワイヤロープに対応するための取付位置とした状態を、図３０に示す。
【００５９】
押さえローラ部３ｙを、直径１６ｍｍのワイヤロープに対応するための取付位置とした状態を、図３１に示す。
【００６０】
（実施の形態２）
（構成）
図３２〜図３４を参照して、本発明に基づく実施の形態２におけるエレベータ用ワイヤロープ交換機について説明する。図３２に示すように、エレベータ用ワイヤロープ交換機１０４は、押さえローラ部２３を備える。他の部分の構成は、基本的に実施の形態１で説明したものと同様である。押さえローラ部２３は、ドラム２の外周に沿って並ぶように配置された複数のボギー構造を含む。図３２に示した例では、押さえローラ部２３は軸３５ａ，３５ｂによる少なくとも２つのボギー構造を含んでいる。これらの２つのボギー構造は、軸３７による１つの大きなボギー構造の中に配置されている。
【００６１】
下側固定ピン１２を抜いて、上側固定ピン１３を中心に押さえローラ部２３を回動させることによって押さえローラ１６をドラム２から離隔させた状態を図３３に示す。押さえローラ部２３を単独で取り出したところを図３４に示す。中心角の広いＶ字形状の第１アーム３３ａの内側に、同様に中心角の広いＶ字形状の第２アーム３３ｂが配置されている。第２アーム３３ｂは軸３７によって回動自在に第１アーム３３ａに取り付けられている。リンク部材３１ａ，３１ｂはそれぞれ２個ずつの押さえローラ１６を備えている。リンク部材３１ａ，３１ｂはそれぞれ軸３５ａ，３５ｂを中心に第２アーム３３ｂに対して回動自在に取り付けられている。
【００６２】
（作用・効果）
本実施の形態では、ドラム２の外周に沿って並ぶように配置された複数のボギー構造が設けられているので、ワイヤロープ１に対する保持力を大きくすることができる。ドラム２の外周上の複数箇所で、より均等に近い状態でワイヤロープを押さえ付けることとなるので、ワイヤロープに対する保持力が安定する。
【００６３】
なお、押さえローラ１６を直接支持するボギー構造の数に関しては、ここでは、１つの押さえローラ部に２つのボギー構造が設けられた例を説明したが、１つの押さえローラ部に３つ以上のボギー構造が設けられた構成としてもよい。また、本実施の形態で示した軸３７による構造のように、複数のボギー構造を包含するさらに大きなボギー構造を設けてもよい。
【００６４】
（実施の形態３）
（構成）
図３５を参照して、本発明に基づく実施の形態３におけるエレベータ用ワイヤロープ交換機について説明する。図３５に示すように、エレベータ用ワイヤロープ交換機１０５においては、押さえローラ部は２つの部分に分かれている。押さえローラ部は、ドラム２を挟んで互いに対向する第１の側方および第２の側方から、ドラム２を、ドラム２の中心に向かって同時にそれぞれ押圧する第１押さえローラ部３ａおよび第２押さえローラ部３ｂを含む。第１押さえローラ部３ａは、上側固定ピン１３ａで上端を固定された状態でロックボルト１４ａおよびロックナット１５ａによって下端が締め付けられ、下側固定ピン１２ａで固定されている。第２押さえローラ部３ｂは、上側固定ピン１３ｂで上端を固定された状態でロックボルト１４ｂおよびロックナット１５ｂによって下端が締め付けられ、下側固定ピン１２ｂで固定されている。
【００６５】
他の部分の構成は、基本的に実施の形態１で説明したものと同様である。
（作用・効果）
本実施の形態では、押さえローラ部が２つの部分に分かれ、これらの部分がドラム２を挟んで互いに対向する２つの側方から押さえ付ける構成となっているので、引き出されるワイヤロープのいずれの側が荷重のかかる側であっても対応することができる。
【００６６】
また、押さえローラ部が２つの部分に分かれていることによって、２ヶ所でワイヤロープに対する押圧を行なえるので、ワイヤロープ１に対する保持力を大きくすることができ、保持力が安定する。
【００６７】
（実施の形態４）
（構成）
図３６を参照して、本発明に基づく実施の形態４におけるエレベータ用ワイヤロープ交換機について説明する。図３６に示すように、エレベータ用ワイヤロープ交換機１０６においては、押さえローラ部は２つの部分に分かれている。その各部分にはボギー構造が２つずつ設けられている。本実施の形態における構成は、実施の形態２，３の構成を組み合わせたものということもできる。エレベータ用ワイヤロープ交換機１０６は、押さえローラ部として第１押さえローラ部２３ａおよび第２押さえローラ部２３ｂを備える。第１押さえローラ部２３ａは、上側固定ピン１３ａで上端を固定された状態でロックボルト１４ａおよびロックナット１５ａによって下端が締め付けられ、下側固定ピン１２ａで固定されている。第２押さえローラ部２３ｂは、上側固定ピン１３ｂで上端を固定された状態でロックボルト１４ｂおよびロックナット１５ｂによって下端が締め付けられ、下側固定ピン１２ｂで固定されている。
【００６８】
他の部分の構成は、基本的に実施の形態１で説明したものと同様である。
（作用・効果）
本実施の形態におけるエレベータ用ワイヤロープ交換機１０６では、ドラム２の外周の合計４ヶ所においてワイヤロープ１に対するボギー構造による押圧が行なわれることとなる。こうすることによって、ワイヤロープ１に対する保持力をより大きくすることができる。本実施の形態では、押圧点の増加により保持力がさらに安定する。
【００６９】
なお、実施の形態１では、ガイドシーブ６を備えた構成（図１参照）を前提に説明したが、元々、本発明にとってはガイドシーブ６は必須ではない。ガイドシーブ６に関しては、以下のことがいえる。
【００７０】
エレベータ用ワイヤロープ交換機は、上端に設けられた取付金具７で吊り下げて使用することが通常であるので、実施の形態１，２で説明したように、左右対称ではない構成では、作業中の姿勢の安定のためには、ワイヤロープの引出し部のうち荷重がかかる側は、ドラム２の中心点の真下に位置することが好ましい。言い換えると、ドラム２の外周面に巻き掛けられている状態のワイヤロープ１の引き出された部分のうち１本を、ドラム２の中心を通って延在する直線上に位置するように導く、ガイドシーブ６を備えることが好ましい。実施の形態１，２で示したガイドシーブ６もこれに相当する。
【００７１】
この構成を採用することにより、作業時にワイヤロープ１を介して作用する荷重は、ドラム２の中心点を通るように作用するので、このエレベータ用ワイヤロープ交換機の姿勢を回転させることなく、安定させることができる。
【００７２】
ただし、実施の形態３，４のように、エレベータ用ワイヤロープ交換機をほぼ左右対称な構成とする場合には、引き出されるワイヤロープ１のうちの一方だけを完全にドラム２の中心点の真下に位置させなくても、なるべく中心点の真下に近い位置に導くこととするだけでもよい。実施の形態３，４に示した各エレベータ用ワイヤロープ交換機は、ガイドシーブ６ａ，６ｂを備える。
【００７３】
なお、上記実施の形態のうち複数を適宜組み合わせて採用してもよい。
なお、今回開示した上記実施の形態はすべての点で例示であって制限的なものではない。本発明の範囲は上記した説明ではなくて特許請求の範囲によって示され、特許請求の範囲と均等の意味および範囲内でのすべての変更を含むものである。
【符号の説明】
【００７４】
１，１ｉ，１ｊ，１ｋ  ワイヤロープ、２  ドラム、３，３ｉ，３ｊ，３ｋ，３ｗ，３ｙ，２３  押さえローラ部、３ａ，２３ａ  第１押さえローラ部、３ｂ，２３ｂ  第２押さえローラ部、４  ハウジング、５  蓋、５ａ，５ｂ  蝶番、６，６ａ，６ｂ  ガイドシーブ、７  取付金具、８  モータ、９  制御箱、１０  作業開口部、１１ａ，１１ｂ  キャッチクリップ、１２，１２ａ，１２ｂ  下側固定ピン、１３，１３ａ，１３ｂ  上側固定ピン、１４，１４ａ，１４ｂ  ロックボルト、１５，１５ａ，１５ｂ  ロックナット、１６，１６ｉ，１６ｊ，１６ｋ  押さえローラ、１７  減速機、１８，１８ｃ  下側穴、１９，１９ｃ  上側穴、２０  位置調整穴、２１  位置固定穴、３１，３１ａ，３１ｂ  リンク部材、３２  ブラケット、３３  押さえローラ部アーム、３３ａ  第１アーム、３３ｂ  第２アーム、３４  ばね、３５，３５ａ，３５ｂ  （リンク部材を取り付ける）軸、３６  案内金具、３７  （第２アームを取り付ける）軸、８１  中心線、９１，９２，９３，９５  矢印、１０１，１０２，１０３，１０４，１０５，１０６  エレベータ用ワイヤロープ交換機。
【図１】
0005464453.tif 000002
【図２】
0005464453.tif 000003
【図３】
0005464453.tif 000004
【図４】
0005464453.tif 000005
【図５】
0005464453.tif 000006
【図６】
0005464453.tif 000007
【図７】
0005464453.tif 000008
【図８】
0005464453.tif 000009
【図９】
0005464453.tif 000010
【図１０】
0005464453.tif 000011
【図１１】
0005464453.tif 000012
【図１２】
0005464453.tif 000013
【図１３】
0005464453.tif 000014
【図１４】
0005464453.tif 000015
【図１５】
0005464453.tif 000016
【図１６】
0005464453.tif 000017
【図１７】
0005464453.tif 000018
【図１８】
0005464453.tif 000019
【図１９】
0005464453.tif 000020
【図２０】
0005464453.tif 000021
【図２１】
0005464453.tif 000022
【図２２】
0005464453.tif 000023
【図２３】
0005464453.tif 000024
【図２４】
0005464453.tif 000025
【図２５】
0005464453.tif 000026
【図２６】
0005464453.tif 000027
【図２７】
0005464453.tif 000028
【図２８】
0005464453.tif 000029
【図２９】
0005464453.tif 000030
【図３０】
0005464453.tif 000031
【図３１】
0005464453.tif 000032
【図３２】
0005464453.tif 000033
【図３３】
0005464453.tif 000034
【図３４】
0005464453.tif 000035
【図３５】
0005464453.tif 000036
【図３６】
0005464453.tif 000037